(57)【要約】      （修正有）【課題】初心者の９９％に発生していると言われているアーリーリリースの修正やハンドファーストの形でインパクトできる練習に時間を費やしてきたが、プレーヤーのレベルに関わらず、スイング修正と飛距離アップが容易にできるゴルフクラブ用カウンターバランスを提供する。【解決手段】ゴルフクラブのグリップエンド２面に取り付けるバランスウエイト部材３と、該バランスウエイト部材を前記グリップエンド面に着脱自在に取り付けるための取り付け用部材４とを備えていることを特徴とする。シャフト重量やスイングバランスによって、好適な重量のバランスウエイトを装着することで、軽く振り易くヘッドの走りを促すクラブになり、素振りと本振りを交互に行うことで、短時間でスイング修正しながら、無理なく同時にスイングスピードを鍛える事ができ、ヘッドスピードも上げられる。【選択図】図１
0003189948.tif 000002
【実用新案登録請求の範囲】
【請求項１】
ゴルフクラブのグリップエンド面にバランスウエイト部材と、該バランスウエイト部材を着脱自在に取り付けできる部材を備えていることを特徴とするゴルフクラブ用カウンターバランス。
【請求項２】
請求項１に記載のバランスウエイト部材において、ウエイト本体にウエスト部を設け、前記取り付け用部材に組み付け、グリップエンド端面に固定するように構成されていることを特徴とする請求項１に記載のゴルフクラブ用カウンターバランス。
【請求項３】
請求項２に記載の取り付け用部材において、締め込みを容易にするため一部を二重芯円形とするウエイト差し込み部を有し、前記バランスウエイト部材のウエスト部に差し込み、該バランスウエイト部材を締め付け用金具により固定するように構成されていることを特徴とする請求項１または２に記載のゴルフクラブ用カウンターバランス。
【請求項４】
請求項３に記載の取り付け用部材において、グリップエンドからの脱落防止に強い締め付け力と、増し締めが容易にできる前記締め付け用金具を備え、グリップエンドのフレア形状に対応するサイド締め付け部の開口部がハの字形に形成されていることを特徴とする請求項１から３の何れかに記載のゴルフクラブ用カウンターバランス。
【請求項５】
請求項４に記載の取り付け用部材において、前記開口部裏側の外周部に、フレア形状に沿った締め付け部を有し、グリップエンド細部側の締め付けを補足するように形成されていることを特徴とする請求項１から４の何れかに記載のゴルフクラブ用カウンターバランス。
【請求項６】
バランスウエイト部材の他の取り付け用部材において、インナー部材とアウター部材との二重構造に形成されていることを特徴とする請求項１または２に記載のゴルフクラブ用カウンターバランス。
【請求項７】
請求項６に記載の取り付け用部材のインナー部材において、締め込みを容易にするため一部を二重芯円形としたウエイト差し込み部を有し、外側にはアウター部材接合用雄ネジを備え、グリップエンドのフレア形状に対応する切り欠き部と切り裂き部が形成されていることを特徴とする請求項６に記載のゴルフクラブ用カウンターバランス。
【請求項８】
請求項６から７に記載の取り付け用部材のアウター部材において、内側はインナー部材の挿入側のネジ溝を無くし、以下ナット状の雌ネジを有し、取り付け時には、先行してグリップに通し、前記インナー部材上からグリップエンドに固定するように構成されていることを特徴とする請求項６または７に記載のゴルフクラブ用カウンターバランス。
【請求項９】
バランスウエイト部材の設定重量は、ゴルフクラブのヘッド重量と略同等の重さに構成されていることを特徴とする請求項１から８の何れか１つに記載のゴルフクラブ用カウンターバランス。
【請求項１０】
請求項１から８に記載のバランスウエイト部材は少なくとも５種類の異なる重量を有し、プレーヤーが使用するゴルフクラブの仕様でウエイト重量が設定されていることを特徴とするゴルフクラブ用カウンターバランス。
【請求項１１】
請求項１から１０の何れか１つに記載のカウンターバランスを備えていることを特徴とするゴルフクラブ。
【考案の詳細な説明】
【技術分野】
【０００１】
本考案は、ゴルフクラブのグリップエンドにバランスウエイトを備えたゴルフクラブとゴルフクラブ用のカウンターバランスに関するものである。
【背景技術】
【０００２】
一般的なゴルフクラブのスイングバランスはＤ０からＤ３の範囲で市販されている他、レディース用ではＣ１前後と、クラブ総重量も共に軽く設定されている。クラブヘッドも近年では特殊合金でも溶接技術の向上で肉薄になり大形化と軽量化もより進化している一方、ゴルフのスイングバランス理論にグリップ側に重量を配分し、振り易さを求めるカウンターバランス理論が有る。
【０００３】
グリップエンドの空気抜き穴を利用して、ネジ止め若しくは差し込み式でバランスウエイト部材を取り付ける（特許文献１、２参照）、クラブのグリップ自体の重量を重くした物や、鉛などをシャフト内やグリップ内部に固着した先行技術が有る（特許文献３参照）。
【先行技術文献】
【特許文献】
【０００４】
【特許文献１】特開平６−１４２２４４号公報
【特許文献２】実用新案登録第３０５２８９８号公報
【特許文献３】特開２００２−２７２８８８号公報
【考案の概要】
【考案が解決しようとする課題】
【０００５】
上記特許文献１、２に記載された従来例は、バランスウエイト部材をグリップエンド端面に取り付け、プレーヤーに適したバランスウエイトを得る技術が開示されている。しかしながら、従来例にあっては、グリップエンド端面に設けているグリップをシャフトに取り付ける際の空気抜き穴を利用し取り付けるとあるが、クラブメーカーやクラブのロゴ・マークをグリップエンド端面に埋め込み、異物の侵入を防いでいるグリップも有り、グリップ交換の可能性も否めない。取り付け方法も従来例にあっては緩みや脱落し易く、空気抜き穴を利用したネジ止めや差し込み型ではプレーヤーが欲する重量のカウンターバランスを取り付けられるとは言い難いという課題がある。
【０００６】
また、上記特許文献３に記載された従来例は、ゴルフクラブの全般にバランスウエイトを内蔵し、パッティングストロークやショット時のクラブの動きを安定させる目的としているが、ウエイト部を内蔵する技術はグリップ交換を伴い簡便性が悪い他、クラブが持ち合わせている性格や性能を超えたヘッドの走りやシャフトの撓りを伴いスピン量が増してしまい、バランスウエイトを装着したゴルフクラブの利点であるクラブヘッドのシャープな返りが、ウェッジやパターなどのクラブには有っては為らないインパクト前後での動きになり、微妙な距離感と方向性を損ねる弱点も持ち合わせている。
【０００７】
本考案は、上記従来例の手法や未解決の課題においても全く異なる観点から創案されたものであって、単にヘッドスピードを上げることや、クラブ軌道の安定を目的とするものではなく、アーリーリリースの修正やハンドファーストでボールを打つために、再現性の有るスイングを身に付け、効率良くボールを飛ばせるようになることを目的とし、ゴルフクラブのグリップを傷つける事無く、スピーディーな着脱が可能で、スイングスピードを鍛え、軽く振り易いゴルフクラブになり身体に負担を掛けず、スイング修正も自在に出来るゴルフクラブを提供することにある。
【課題を解決するための手段】
【０００８】
上記目的を達成するために、本考案に係るゴルフクラブ用カウンターバランスの第１の特徴は、ゴルフクラブのグリップエンド端面にバランスウエイトを着脱自在に装着することを可能にした取り付け用部材を備えている。
【０００９】
また、本考案に係わるカウンターバランスの第２の特徴は、グリップエンド端面にバランスウエイト部材の本体のウエスト部に前記取り付け用部材の差し込み部を組み付け、ウエスト部以下を被覆するように取り付け用部材により固定される。
【００１０】
また、本考案に係わるカウンターバランスの第３の特徴は、前記取り付け用部材のウエイト差し込み部とグリップエンドへの固定用として、締め込みが容易で強い締め付け力を有する腐食に強いステンレス製の金属金具を採用している。
【００１１】
さらに、前記取り付け用部材のウエイト差し込み部において、上記バランスウエイト部材のウエスト部の締め込みを容易にするため、バランスウエイト差し込み部を二重芯円形とし、初期段階からウエイト部材側が絞まることで、グリップエンド細部側がより絞まり易く、グリップサイズに対応する開口部と締め込み金具で市販されているゴルフクラブのグリップ及び交換用グリップの大多数に取り付けできる。
【００１２】
また、本考案に係わるカウンターバランスの第４の特徴は、前記取り付け用部材において、円筒形状のグリップエンド挿入部を有し、締め付け部がハの字形開口部で形成されており、グリップのサイズが多種に存在するレディース用グリップにおいても、放射状に広がるフレア形状のグリップエンドへの取り付けを可能にしている。
【００１３】
また、本考案に係わるカウンターバランスの第５の特徴は、前記取り付け用部材の締め付け部において、ハの字形開口部の裏側の外周部にフレア形状に沿った締め付け部を有し、締め付け用金具の共回りを防止するストッパー部を有し、基端側のみで締め込みを可能にし、コインやボールマーカー等で簡単に着脱や増し締めができるように形成されている。
【００１４】
また、本考案に係わるカウンターバランスの第６の特徴は、他の取り付け用部材において、インナー部材とアウター部材の二重構造に形成され、ウエイト本体より横方向への突出が無く、カウンターバランスを取り付けたままクラブをキャディーバックに収納できる。
【００１５】
また、本考案に係わるカウンターバランスの第７の特徴は、前記取り付け用部材のインナー部材において、バランスウエイト部材のウエスト部の締め込みを容易にするため、バランスウエイト差し込み部を二重芯円形とし、該差し込み部の外側はアウター部材のストッパーを有し、以下接合用雄ネジを備え、フレア形状のグリップエンドにウエイト部材の取り付けを可能にする切り欠き部と切り裂き部が形成されている。
【００１６】
この構成によると、レディース用のグリップサイズは、メンズ用と比較して平均２ミリ程細く形成され、フレア形状もより直線に近く、上記構造を有する取り付け用部材の設定は、ジュニア用クラブも含めメンズ用シャフトを短く切り、レディース用グリップを取り付けている直径２４ミリ以下の改造クラブには使用できない。
【００１７】
また、本考案に係わるカウンターバランスの第８の特徴は、上記取り付け用部材のアウター部材において、内側はインナー部材の差し込み側のネジ溝を無くし以下ナット状の雌ネジを有し、カウンターバランス取り付け時には先行してグリップに通しインナー部材上からグリップエンドに固定するように構成されている。
【００１８】
また、本考案に係わるカウンターバランスの第９の特徴は、上記バランスウエイト部材の設定重量はゴルフクラブのヘッド重量とほぼ同等の重量に構成され、スイングスピードを上げ、且つ、鍛えるために有効なウエイト重量を構成している。
【００１９】
この構成によると、前記バランスウエイトの設定重量は、上記バランスウエイト部材の大きさで重量を決定し、グリップエンドに装着時で、ウエイト部の高さは４５ミリ以内とし、衣服への接触を避け、損傷を軽減している。
【００２０】
また、本考案に係わるカウンターバランスの第１０の特徴は、バランスウエイト部材が少なくとも５種類の異なる重量で構成され、プレーヤー所有のパターやウェッジを除くアイアンセットのシャフト重量とドライバーのスイングバランスを加味して決定される。
【００２１】
この構成によると、プレーヤーの力量やプレースタイルは、前記アイアンセットのシャフトの内容とほぼ一致しており、レディースはドライバーのスイングバランスでバランスウエイト重量を選ぶ方が好適である。
【００２２】
また、本考案に係わるカウンターバランスの第１１の特徴は、複数種類のバランスウエイト部材と複数種類の取り付け用部材の組み合わせで、極めて軽く振り易いゴルフクラブに仕様変更できる。
【００２３】
この構成によると、クラブヘッド側のバランスダウンにより、軽いクラブを振ることでスイングスピードが上がり、必然とスイングスピードを鍛える事になり、相乗効果でヘッドスピードがアップする。素振りを繰り返すことで、無理なく早期に理想形のスイングが身に付き、インパクト時に有るべきグリップ位置と、クラブ・フェースの向きを意識できるような、ハンドファースト形のスイングが習得できる。
【００２４】
さらに、ハンドファーストでボールを打つスイング作り同様に、アーリーリリースを修正するスイング作りも素振りで体得してきたが、素振りとボールを打つ本振りでは差ができるため、再現性の有るスイング作りに時間と労力を費やしてきた。バランスウエイトを装着したゴルフクラブにより、素振りと本振りを交互に繰り返すことで、より短時間でスイングが修正できる。
【考案の効果】
【００２５】
本考案によれば、ゴルフクラブのグリップエンドに短時間で装着でき、ラウンド直前までスイングチェックでき、勿論そのままラウンドもできる。なかでもバランスが重く長いクラブ程、バランスウエイトを装着した効果が出る。力まず今まで以上に、飛ばせるスイングが身に付き、過去に味わったことがない飛距離（セカンド地点の景色が違う）を容易にする。又、腰痛を抱えるゴルファーに最適で身体に負担を掛けない、極めて軽く振り易いゴルフクラブに仕様変更でき、初心者でも最初の一振りでヘッドの走りを体感できる。
【図面の簡単な説明】
【００２６】
【図１】ゴルフクラブのグリップ部を示す部分分解斜視図である。
【図２】ゴルフクラブのグリップ部を示す他の部分分解斜視図である。
【図３】図１に示す実施の形態によるゴルフクラブのグリップエンド部の縦断面図とカウンターバランスの側面図と見上げ図である。
【図４】図２に示す他の実施の形態によるゴルフクラブのグリップエンド部の縦断面図とカウンターバランスの側面図と見上げ図である。
【図５】適応図である。
【考案を実施するための形態】
【００２７】
以下、本考案の実施の形態を図面に基づいて説明する。
【００２８】
図１と図２は、本考案の実施の形態によるゴルフクラブのグリップ部を示す部分分解斜視図であって、ゴルフクラブのシャフト１の先端側には図表示しないヘッドが形成され、基端側にグリップ部２が形成されており、取り付け用部材別に図１は標準型、図２は二重構造型が例示されている。
【００２９】
図１に示すバランスウエイト部材３は、グリップエンドの端面に取り付けることで、効率よくバランスダウンでき、着脱容易な取り付け用部材４と例示されている。
【００３０】
そして、カウンターバランス部材は、バランスウエイト部材３と取り付け用部材４を組み付けた状態でグリップエンドに取り付け、以降他のクラブへの着脱も、組み付けた状態のままで良く、取り付け用部材の開口部は下向きが良い。
【００３１】
図２に示す本考案の実施の形態において、ウエイト本体より横方向への突出が無く、カウンターバランスを取り付けたままクラブをキャディーバックに収納できるように形成されている。
【００３２】
図３は、図１に示す本考案の実施の形態による、ゴルフクラブのグリップ部の縦断面図と側面図と見上げ図であり、バランスウエイト部材３は、本体３ａと、高さを抑える目的でフラット状になっている台座部３ｃの底面３ｄで形成され、ウエスト部３ｂ以下他のバランスウエイト部材と共通の大きさと形を形成し、大きさを抑えるために材質は鉄、ステンレス、真鋳などの金属性で、メッキや焼き付け塗装など全面被覆の錆び止め対策し、バランスウエイト部本体３ａは球体としたが、円柱形状でも良い。
【００３３】
また、バランスウエイト部材３は、本体３ａと台座部３ｃ間に、ウエスト部３ｂが形成され、取り付け用部材４のバランスウエイト差し込み部４ａを組み付け、グリップエンドに装着される。
【００３４】
また、取り付け用部材４のバランスウエイト差し込み部４ａは、実施の形態において、締め付け用金具４ｃで固定する際、バランスウエイト差し込み部４ａの一部を二重芯円形４ｂとすることで、初期段階からウエイト部材側が絞まることで、グリップエンド下部側がより多く絞まり、グリップサイズに対応する開口部４ｃと、締め付け金具４ｄの許容域は２４から２９ミリで、グリップサイズはメンズ用で２７から２８ミリ、レディース用は２５から２７ミリであることから、市販されているゴルフクラブのグリップ及び交換用グリップの大多数に固定できる。グリップサイズは、エンド部の一番太い所の直径で、男女用共に太いグリップ程、フレア形状が強い傾向にある。尚、一部の極太タイプやパター用グリップを除く。
【００３５】
また、取り付け用部材４のグリップエンド挿入部４ｅは、グリップエンドへの着脱を考慮して、フレア形状ではなく円筒形状とし、グリップ挿入部側がより締め付けられるように、ハの字型開口部の締め付け部４ｆと外周部に前記締め付け用金具のナットストッパー部４ｓ側にグリップエンドのフレア形状に沿った締め付け部４ｈが形成され、グリップエンド細部側の締め付けを補足している。
【００３６】
そして、取り付け用部材４は、前記締め付け金具４ｄにおいて、錆びに強いステンレス製で、基端側のみの締め込みとするためのナットストッパー部４ｓを形成し、ラウンド中でもコインやボールマーカー等で増し締めを可能にしている。また、着脱をよりスピーディーにするため、蝶ボルトや蝶ナットの使用はさらに好ましい。尚、ボルトはＳＵＳ・Ｍ１０首下２５の仕様であるが、限定するものではない。
【００３７】
図４は、図２に示す本考案の実施の形態による、ゴルフクラブのグリップ部の縦断面図と側面図と見上げ図であり、二重構造型のインナー部材とアウター部材が例示され、取り付け用部材５のインナー部材は、バランスウエイト差し込み部５ａの一部を二重芯円形５ｂとすることで、締め込み初期段階からウエイト部材の脱落を防止し、切り裂き部５ｃと切り欠き部５ｄを備え、インナー部材５はアウター部材６によりグリップエンドに固定される。尚、インナー部材５は外周部に雄ネジとアウター部材のストッパー部５ｅを備えている。
【００３８】
また、取り付け用部材５のインナー部材の許容範囲は、±１ミリとし、グリップエンド挿入部５ｆは、カウンターバランス部材のグリップエンドへの着脱を考慮して、フレア形状ではなく円筒形状とし、開放時の内径は、メンズ用は２７ミリ、レディース用は２５ミリである。
【００３９】
取り付け用部材のアウター部材６は、先行してグリップエンドに通し、ウエイト部材３と取り付け用部材のインナー部材５を組み付け、グリップエンドに取り付け後、アウター部材６でインナー部材５の上から締め付け、グリップエンドへの固定用としている。
【００４０】
また、アウター部材６の内側は、上記インナー部材の挿入を容易にするために、ネジ溝を無くし、挿入部６ａ側を広くし、以下ナット状の雌ネジを有し、バランスウエイト取り付け時には、先行してグリップに通し、インナー部材上からグリップエンドに締め付け部６ｂにより、バランスユニットを固定するように構成され、外周部には滑り止めの張り出し部６ｃが有り、円筒形状以外に六角形状や八角形状でも良い。
【００４１】
尚、本考案に係わる取り付け用部材は、若干伸縮性を持たせた樹脂製としたが、アウター部材のみ、腐食対策した金属製であってもよい。
【００４２】
次に、図５の適応図を用いて、本考案におけるバランスウエイトの選び方を説明する。
【００４３】
ゴルフクラブの分野別で分けられる横軸は、プレーヤーの性別や年齢と決して一致するものではなく、使用しているゴルフクラブのシャフトが、プロや上級者が使っているハードモデルなのか、一般男性用又は軽量カーボン・シャフトかレディース用として市販されているものか、などで区分され、縦軸はバランスウエイトの種別であり、○が適応で◎が好適である。
【００４４】
次に、プレーヤーが使用しているゴルフクラブの仕様別に、男性用はウェッジやパターを除くアイアンセットのシャフトが１００ｇ以上、又はドライバーのスイングバランスがＤ３以上では、上段のウエイトを選ぶほうがより効果的で、女性プレーヤーの場合は、使用ドライバーのスイングバランスで選定し、Ｃ５を境にそれ以上が上段のウエイトを選ぶ方が良い。
【００４５】
また、メンズ用アイアンセットのシャフト重量が８０ｇ以下のプレーヤーや、ドライバーのスイングバランスがＤ１以下のクラブを使用しているプレーヤーは、下段のウエイトを選ぶ方が良い。
【００４６】
例えば、メンズ用アイアンセットのシャフト重量が１２０ｇ台で、ドライバーのスイングバランスがＤ２は、Ｇ２８５とＧ２７０の何れかを、Ｄ１ではＧ２７０が良い。
【００４７】
また、シャフト重量が１００ｇを超えるスチール又はカーボン・シャフトを使用のプレーヤーは、アスリート程のパワーやヘッドスピードではないと判断できれば、Ｇ２７０となり、シニア・プレーヤーではＧ２５５が良い。
【００４８】
また、シニア・プレーヤーのシャフト重量が８０ｇ以下ではＧ２５５だが、ドライバーのスイングバランスがＣ６以上はＧ２５５で、Ｄ２以上はＧ２７０が良い。
【００４９】
さらに、レディース用ドライバーのスイングバランスがＣ４の場合、Ｃ５以下ではＧ２５５となり、他のクラブとバランスが離れていれば、ドライバーのスイングバランスをＣ６程度になるようにヘッドに３ｇ程鉛を貼って重くし、ウエイトはＧ２７０を選んでもよい。尚、長さ４５インチのクラブのヘッドに２ｇの加重で１．５ポイント増となる。
【００５０】
また、メンズ用アイアンセットのシャフトが８０ｇ台とシニア用ドライバーのスイングバランスＣ６以上を使用の女性の場合は、Ｇ２７０が良い。
【００５１】
さらに、レディース用のバランスウエイトの設定は、レディース用クラブは種類も少なく、シニア用として市販されているものや、軽量のメンズ用クラブを混用している女性プレーヤーが多く、スイングバランスに開きが在り、重い方が良い。
【００５２】
また、ジュニア用では、改造クラブが多く、バランスウエイト重量のＧ２４０と標準型の取り付け用部材の設定である。
【００５３】
また、本考案の実施の形態による、カウンターバランス装着状況において、ドライバーＡ、ドライバーＢ、７番アイアンＣ、レディース用ドライバーＤ、同ユーティリティ６番アイアンＥとし、クラブ長さはインチ、シャフトとヘッド重量はグラムで、（Ａ・４７・５８・２０５）、（Ｂ・４４・１１９・２０３）、（Ｃ・３７・１１８・２７１）、（Ｄ・４４．５・４５・１８９）、（Ｅ・３８・４５・２３３）であり、スイングバランスの推移比較で、ウエイトのＧ３００はメンズ用クラブのみ、Ｇ２８５、Ｇ２７０、Ｇ２５５、Ｇ２４０を使用し、取り付け用部材は標準型を使用した。
【００５４】
尚、Ａ０を起点にマイナス側へ移行するとして、計測値を算出すると、
ＡドライバーのスイングバランスはＥ０が（−Ｄ２．５・−Ｃ９）・−Ｃ５．５・−Ｃ２・−Ｂ９
ＢドライバーのスイングバランスはＤ０が−Ｄ９・−Ｄ６・（−Ｄ２．５）・−Ｃ９・−Ｃ６
ＣアイアンのスイングバランスはＤ２が−Ｄ６・−Ｄ３・（−Ｃ９．５）・−Ｃ６・−Ｃ２．５
ＤドライバーのスイングバランスはＣ７が−Ｄ９・−Ｄ５．５・（−Ｄ２）・−Ｃ８．５
ＥアイアンのスイングバランスはＣ０が−Ｅ４・−Ｅ０．５・−Ｄ７・（−Ｄ３）となった。
【００５５】
計測に使用したゴルフクラブは、アスリート用の特別仕様と一般レディース用で、ウエイト重量が大きくなれば、軽くはなるが、ある値を過ぎるとスイングスピードの落ち方が勝り、上がっている筈のヘッドスピードを相殺してしまう結果となり、Ａのドライバーの総重量は３２０ｇで、最速値はＧ２８５プラス１０ｇ時であったが、プラス３５ｇから減少していた。また、Ｂのドライバーは総重量３７３ｇで、Ｇ２７０使用時が良い結果となり、クラブ総重量よりスイングバランスでウエイト重量を優先するほうが良い。
【００５６】
近年、市販されているゴルフクラブのヘッド重量は、ドライバーで１９０ｇ、フェアウエー・ウッドで２１０から２２０ｇ、アイアンの５番で２５０ｇと、９番では２８０ｇ台で一番手毎に約７ｇ重くなり、パターを除く他のクラブでサンドウェッジが最重量で、概ね３２０ｇ±１０ｇであり、レディース用は全般に２０ｇ軽いヘッド重量で、３番手軽く、２番手短く（アイアンシャフトの長さ）設定している。
【００５７】
本考案の実施の形態により、スイングスピードを上げるための有効なウエイト重量は、ヘッド重量の３分の２以上かつ１．５倍以下とした時、１９０ｇのドライバーは１２７ｇから２８５ｇであり、サンドウェッジは３３０ｇとして２２０ｇから４９５ｇになり、全てのクラブに適応できる値として、２２０ｇから２８５ｇとなる。さらに、カウンターバランスとして効率の良い値は、使用するゴルフクラブのスイングバランスにより異なり、Ｄ３以上はＧ２８５以上、Ｃ６以上はＧ２７０以上で、Ｃ５以下ではＧ２５５以下が好適である。
【符号の説明】
【００５８】
１      ゴルフクラブのシャフト
２      ゴルフクラブのグリップ
３      バランスウエイト部材
３ａ    ウエイト本体
３ｂ    ウエスト部
３ｃ    ウエイト台座部
３ｄ    台座部底面
４      バランスウエイト取り付け用部材
４ａ    バランスウエイト差し込み部
４ｂ    二重芯円形のバランスウエイト差し込み部
４ｃ    開口部
４ｄ    締め付け用金具
４ｅ    グリップエンド挿入部
４ｆ    ハの字形締め付け部
４ｈ    フレア形状に沿った締め付け部
４ｓ    ナットストッパー部
５      インナー部材
５ａ    バランスウエイト差し込み部
５ｂ    二重芯円形のバランスウエイト差し込み部
５ｃ    切り裂き部  
５ｄ    切り欠き部  
５ｅ    インナー部材におけるアウター部材のストッパー部  
５ｆ    グリップエンド挿入部
６      アウター部材
６ａ    アウター部材におけるインナー部材の挿入部
６ｂ    バランスユニット締め付け部
６ｃ    滑り止め
【図１】
0003189948.tif 000003
【図２】
0003189948.tif 000004
【図３】
0003189948.tif 000005
【図４】
0003189948.tif 000006
【図５】
0003189948.tif 000007
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのグリップエンド面に取り付けるバランスウエイト部材と、該バランスウエイト部材を前記グリップエンド面に着脱自在に取り付けるための取り付け用部材とを備えていることを特徴とするゴルフクラブ用カウンターバランス。
【請求項２】
請求項１に記載のバランスウエイト部材において、ウエイト本体にウエスト部を設け、前記取り付け用部材に組み付け、グリップエンド端面に固定するように構成されていることを特徴とする請求項１に記載のゴルフクラブ用カウンターバランス。
【請求項３】
前記取り付け用部材において、締め込みを容易にするため一部を二重芯円形とするウエイト差し込み部を有し、前記バランスウエイト部材のウエスト部に差し込み、該バランスウエイト部材を締め付け用金具により固定するように構成されていることを特徴とする請求項１または２に記載のゴルフクラブ用カウンターバランス。
【請求項４】
前記取り付け用部材において、グリップエンドからの脱落防止に強い締め付け力と、増し締めが容易にできる前記締め付け用金具を備え、グリップエンドのフレア形状に対応するサイド締め付け部の開口部がハの字形に形成されていることを特徴とする請求項１から３の何れかに記載のゴルフクラブ用カウンターバランス。
【請求項５】
前記取り付け用部材において、前記開口部裏側の外周部に、フレア形状に沿った締め付け部を有し、グリップエンド細部側の締め付けを補足するように形成されていることを特徴とする請求項１から４の何れかに記載のゴルフクラブ用カウンターバランス。
【請求項６】
前記取り付け用部材において、インナー部材とアウター部材との二重構造に形成されていることを特徴とする請求項１または２に記載のゴルフクラブ用カウンターバランス。
【請求項７】
前記取り付け用部材のインナー部材において、取り付け時に締め込みを容易にするため一部を二重芯円形としたウエイト差し込み部を有し、外側にはアウター部材接合用雄ネジを備え、グリップエンドのフレア形状に対応する切り欠き部と切り裂き部が形成されていることを特徴とする請求項６に記載のゴルフクラブ用カウンターバランス。
【請求項８】
前記取り付け用部材のアウター部材において、内側はインナー部材の挿入側のネジ溝を無くし、以下ナット状の雌ネジを有し、取り付け時には、先行してグリップに通し、前記インナー部材上からグリップエンドに固定するように構成されていることを特徴とする請求項６または７に記載のゴルフクラブ用カウンターバランス。
【請求項９】
バランスウエイト部材の設定重量は、ゴルフクラブのヘッド重量と略同等の重さに構成されていることを特徴とする請求項１から８の何れか１つに記載のゴルフクラブ用カウンターバランス。
【請求項１０】
前記バランスウエイト部材は少なくとも５種類の異なる重量を有し、プレーヤーが使用するゴルフクラブの仕様でウエイト重量が設定されていることを特徴とする請求項１から８の何れか１つに記載のゴルフクラブ用カウンターバランス。
【請求項１１】
請求項１から１０の何れか１つに記載のカウンターバランスを備えていることを特徴とするゴルフクラブ。